(57)【要約】【課題】ＢＳ右旋放送及びＣＳ右旋放送の信号とＢＳ右旋放送、ＣＳ右旋放送、ＢＳ左旋放送、及びＣＳ左旋放送の信号とを分けて出力することができる分配器を提供する。【解決手段】分配器は、第１の端子Ｔ１と、第２の端子Ｔ２と、第３の端子Ｔ３と、分配回路Ｄ１と、フィルタＦ１と、筐体Ｈ１と、を備える。分配回路Ｄ１は、第１の端子Ｔ１から供給された信号を複数の信号に分配して、前記複数の信号の一つをフィルタＦ１に供給し、前記複数の信号の他の一つを第３の端子Ｔ３に供給する。フィルタＦ１は、分配回路Ｄ１によって供給された信号から、ＢＳ左旋放送及びＣＳ左旋放送の伝送周波数帯域を除去して第２の端子Ｔ２に供給する。分配回路Ｄ１及びフィルタＦ１が筐体１の内部に設けられ、第１の端子Ｔ１の少なくとも一部、第２の端子Ｔ２の少なくとも一部、及び第３の端子Ｔ３の少なくとも一部が前記筐体から露出している。【選択図】図２
2019134283.tif 000002
【特許請求の範囲】
【請求項１】
第１の端子と、
第２の端子と、
第３の端子と、
分配回路と、
フィルタと、
筐体と、を備え、
前記分配回路は、前記第１の端子から供給された信号を複数の信号に分配して、前記複数の信号の一つを前記フィルタに供給し、前記複数の信号の他の一つを前記第３の端子に供給し、
前記フィルタは、前記分配回路によって供給された信号から、ＢＳ左旋放送及びＣＳ左旋放送の伝送周波数帯域を除去して前記第２の端子に供給し、
前記分配回路及び前記フィルタが前記筐体の内部に設けられ、
前記第１の端子の少なくとも一部、前記第２の端子の少なくとも一部、及び前記第３の端子の少なくとも一部が前記筐体から露出していることを特徴する分配器。
【請求項２】
前記フィルタはフィルタ処理を行わないスルー機能を有し、
前記スルー機能の有効と無効とを切り替える切替手段をさらに備える請求項１に記載の分配器。
【請求項３】
前記フィルタをバイパスするバイパス経路と、
前記バイパス経路の使用と不使用とを切り替える切替手段と、をさらに備える請求項１に記載の分配器。
【請求項４】
請求項１〜３のいずれか一項に記載の分配器を備えることを特徴とする共同受信システム。
【発明の詳細な説明】
【技術分野】
【０００１】
本発明は、分配器に関する。
【背景技術】
【０００２】
共同受信システムはビルやマンション等の棟内に敷設される。従来の共同受信システムの一構成例を図５に示す。図５に示す共同受信システムは、混合機能付き増幅器１０１と、分配器１０２と、を備える構成である。
【０００３】
混合機能付き増幅器１０１は、ＢＳ右旋放送及びＣＳ右旋放送を受信する衛星放送アンテナ２０１から出力される信号と、地上放送を受信する地上放送アンテナ２０２から出力される信号と、を混合及び増幅して分配器１０２に出力する。
【０００４】
分配器１０２は、混合機能付き増幅器１０１から出力される電気信号を分配する。分配器１０２から出力される電気信号は、各住戸に設置された分波器３０１によってＢＳ右旋放送及びＣＳ右旋放送信号と地上放送信号とに分けられたのち、２Ｋ対応のテレビ受像機３０２に供給される。なお、分配器１０２と各住戸との間には、各住戸の配置や住戸数に応じて増幅器や分配器が適宜配置される。
【先行技術文献】
【特許文献】
【０００５】
【特許文献１】特開２００７-３００１７８号公報
【発明の概要】
【発明が解決しようとする課題】
【０００６】
図５に示す共同受信システムは、少なくとも大規模なビルやマンション等の棟内に敷設されるシステムに関して、２０１８年から実用放送が予定されている４Ｋ或いは８Ｋの衛星放送であるＢＳ左旋放送及びＣＳ左旋放送を受信できないという問題を有している。つまり、ＢＳ右旋放送及びＣＳ右旋放送を受信する衛星放送アンテナ２０１を、ＢＳ右旋放送、ＣＳ右旋放送、ＢＳ左旋放送、及びＣＳ左旋放送を受信する衛星放送アンテナに単純に取り換えるだけでは済まない。ＢＳ左旋放送及びＣＳ左旋放送の伝送周波数帯域（２２２４〜２６４３ＭＨｚ及び２７４８〜３２２４ＭＨｚ）が高く、ＢＳ左旋放送及びＣＳ左旋放送の伝送周波数帯域の電気信号の伝送可能距離が短いため、分配器１０２と各住戸との間に配置する増幅器の段数を増やす必要に迫られる可能性が高くなるからである。
【０００７】
ここで、ＢＳ左旋放送及びＣＳ左旋放送の受信には４Ｋ対応のテレビ受像機が必要となるので、ＢＳ左旋放送及びＣＳ左旋放送の開始時に、全ての住戸がＢＳ左旋放送及びＣＳ左旋放送の受信を希望する可能性は低いと思われる。そこで、ＢＳ左旋放送及びＣＳ左旋放送の受信を希望する住戸で個別に、ＢＳ右旋放送、ＣＳ右旋放送、ＢＳ左旋放送、及びＣＳ左旋放送を受信する衛星放送アンテナを設置するという解決策が考えられる。しかしながら、住戸によってはＢＳ右旋放送、ＣＳ右旋放送、ＢＳ左旋放送、及びＣＳ左旋放送を受信する衛星放送アンテナを設置するのに適切な場所がない等の新たな問題が生じる。
【０００８】
なお、特許文献１で開示されている分配器は、フェライトの磁気飽和を防止して、歪の発生を防止するものであって、共同受信システム内のＢＳ左旋放送及びＣＳ左旋放送の受信を希望する一部の住戸にのみＢＳ左旋放送及びＣＳ左旋放送の信号を供給するために役立つものではない。
【０００９】
本発明は、上記の状況に鑑み、ＢＳ右旋放送及びＣＳ右旋放送の信号とＢＳ右旋放送、ＣＳ右旋放送、ＢＳ左旋放送、及びＣＳ左旋放送の信号とを分けて出力することができる分配器及びそれを用いた共同受信システムを提供することを目的とする。
【課題を解決するための手段】
【００１０】
上記目的を達成するために本発明に係る分配器は、第１の端子と、第２の端子と、第３の端子と、分配回路と、フィルタと、筐体と、を備え、前記分配回路は、前記第１の端子から供給された信号を複数の信号に分配して、前記複数の信号の一つを前記フィルタに供給し、前記複数の信号の他の一つを前記第３の端子に供給し、前記フィルタは、前記分配回路によって供給された信号から、ＢＳ左旋放送及びＣＳ左旋放送の伝送周波数帯域を除去して前記第２の端子に供給し、前記分配回路及び前記フィルタが前記筐体の内部に設けられ、前記第１の端子の少なくとも一部、前記第２の端子の少なくとも一部、及び前記第３の端子の少なくとも一部が前記筐体から露出している構成（第１の構成）とする。
【００１１】
また、上記第１の構成の分配器において、前記フィルタはフィルタ処理を行わないスルー機能を有し、前記スルー機能の有効と無効とを切り替える切替手段をさらに備える構成（第２の構成）であってもよい。
【００１２】
また、上記第１の構成の分配器において、前記フィルタをバイパスするバイパス経路と、前記バイパス経路の使用と不使用とを切り替える切替手段と、をさらに備える構成（第３の構成）であってもよい。
【００１３】
上記目的を達成するために本発明に係る共同受信システムは、上記第１〜第３いずれかの構成の分配器を備える構成（第４の構成）とする。
【発明の効果】
【００１４】
本発明によると、ＢＳ右旋放送及びＣＳ右旋放送の信号とＢＳ右旋放送、ＣＳ右旋放送、ＢＳ左旋放送、及びＣＳ左旋放送の信号とを分けて出力することができる分配器及びそれを用いた共同受信システムを実現することができる。これにより、共同受信システム内のＢＳ左旋放送及びＣＳ左旋放送の受信を希望する一部の住戸にのみＢＳ左旋放送及びＣＳ左旋放送の信号を供給することができる。
【図面の簡単な説明】
【００１５】
【図１】本発明の一実施形態に係る分配器の概略外観斜視図
【図２】本発明の一実施形態に係る分配器の構成を示す図
【図３】本発明の一実施形態に係る共同受信システムの構成を示す図
【図４】本発明の一実施形態に係る分配器の変形例を示す図
【図５】従来の共同受信システムの一構成例を示す図
【発明を実施するための形態】
【００１６】
本発明の実施形態について図面を参照して以下に説明する。
【００１７】
図１は、本発明の一実施形態に係る分配器の概略外観斜視図である。本発明の一実施形態に係る分配器１（以下、分配器１と略す）は、第１の端子Ｔ１と、第２の端子Ｔ２と、第３の端子Ｔ３と、筐体Ｈ１と、を備える。第１の端子Ｔ１の一部、第２の端子Ｔ２の一部、及び第３の端子Ｔ３の一部が筐体Ｈ１から外部に露出している。
【００１８】
図２は、分配器１の構成を示す図である。分配器１は、第１〜第３の端子Ｔ１〜Ｔ３及び筐体Ｈ１の他に、分配回路Ｄ１及びフィルタＦ１を備える。分配回路Ｄ１及びフィルタＦ１は筐体Ｈ１の内部に設けられる。
【００１９】
分配回路Ｄ１は、第１の端子Ｔ１から供給された信号を２つの信号に分配して、その２つの信号の一方をフィルタＦ１に供給し、他方を第３の端子Ｔ３に供給する。
【００２０】
フィルタＦ１は、分配回路Ｄ１によって供給された信号から、ＢＳ左旋放送及びＣＳ左旋放送の伝送周波数帯域（２２２４ＭＨｚ以上２６４３ＭＨｚ以下及び２７４８ＭＨｚ以上３２２４ＭＨｚ以下の周波数帯域）を除去して第２の端子Ｔ２に供給するローパスフィルタである。なお、フィルタＦ１はＢＳ右旋放送及びＣＳ右旋放送の伝送周波数帯域（１０３２ＭＨｚ以上１４８９ＭＨｚ以下及び１５９５ＭＨｚ以上２０７１ＭＨｚ以下の周波数帯域）を通過させるので、フィルタＦ１のカットオフ周波数は、ＢＳ右旋放送及びＣＳ右旋放送の伝送周波数帯域と、ＢＳ左旋放送及びＣＳ左旋放送の伝送周波数帯域との間に設定される。
【００２１】
上述した構成により、分配器１の第２の端子Ｔ２からはＢＳ右旋放送及びＣＳ右旋放送の信号が出力され、分配器１の第３の端子Ｔ３からはＢＳ右旋放送、ＣＳ右旋放送、ＢＳ左旋放送、及びＣＳ左旋放送の信号が出力される。すなわち、分配器１は、ＢＳ右旋放送及びＣＳ右旋放送の信号とＢＳ右旋放送、ＣＳ右旋放送、ＢＳ左旋放送、及びＣＳ左旋放送の信号とを分けて出力することができる。
【００２２】
これにより、共同受信システムで分配器１を利用した場合、共同受信システム内のＢＳ左旋放送及びＣＳ左旋放送の受信を希望する一部の住戸にのみＢＳ左旋放送及びＣＳ左旋放送の信号を供給することができる。
【００２３】
次に、分配器１を備える共同受信システムの一例について説明する。図３は、分配器１を備える共同受信システムの一構成例を示す図、すなわち本発明の一実施形態に係る共同受信システムの構成を示す図である。
【００２４】
図３に示す共同受信システムは、図５に示す共同受信システムに分配器１及び追加配線２を追加した構成である。すなわち、図３に示す共同受信システムは、分配器１と、追加配線２と、混合機能付き増幅器１０１と、分配器１０２と、を備える。
【００２５】
ＢＳ右旋放送、ＣＳ右旋放送、ＢＳ左旋放送、及びＣＳ左旋放送を受信する衛星放送アンテナ２０３から出力される信号は、分配器１の第１の端子Ｔ１に供給される。分配器１の第２の端子Ｔ２は混合機能付き増幅器１０１に接続され、分配器１の第３の端子Ｔ３は追加配線２に接続される。
【００２６】
追加配線２は、ＢＳ左旋放送及びＣＳ左旋放送の受信を希望する住戸（ここでは図３に図示された４つの住戸のうち右下に位置する住戸）にまで引き込まれる。
【００２７】
混合機能付き増幅器１０１は、分配器１の第２の端子Ｔ２から出力される信号と、地上放送を受信する地上放送アンテナ２０２から出力される信号と、を混合及び増幅して分配器１０２に出力する。
【００２８】
分配器１０２は、混合機能付き増幅器１０１から出力される電気信号を分配する。分配器１０２から出力される電気信号は、各住戸に設置された分波器３０１によってＢＳ右旋放送及びＣＳ右旋放送信号と地上放送信号とに分けられる。そして、ＢＳ左旋放送及びＣＳ左旋放送の受信を希望しない住戸では、ＢＳ右旋放送及びＣＳ右旋放送信号と地上放送信号が分波器３０１から２Ｋ対応のテレビ受像機３０２に供給される。一方、ＢＳ左旋放送及びＣＳ左旋放送の受信を希望する住戸では、地上放送信号が分波器３０１から４Ｋ対応のテレビ受像機３０３に供給され、ＢＳ右旋放送、ＣＳ右旋放送、ＢＳ左旋放送、及びＣＳ左旋放送の信号が追加配線２から４Ｋ対応のテレビ受像機３０３に供給される。
【００２９】
なお、分配器１０２と各住戸との間には、各住戸の配置や住戸数に応じて増幅器や分配器が適宜配置される。また、分配器１とＢＳ左旋放送及びＣＳ左旋放送の受信を希望する各住戸との間には、ＢＳ左旋放送及びＣＳ左旋放送の受信を希望する各住戸の配置や住戸数に応じて増幅器や分配器が適宜配置される。
【００３０】
＜その他＞
本明細書中に開示されている種々の技術的特徴は、上記実施形態のほか、その技術的創作の主旨を逸脱しない範囲で種々の変更を加えることが可能である。
【００３１】
例えば、フィルタＦ１がフィルタ処理を行わないスルー機能を有し、分配器１がフィルタＦ１のスルー機能の有効と無効とを切り替える切替手段を備えるようにしてもよい。当該切替手段としては、例えば筐体Ｈ１を空けること無く、筐体Ｈ１の外部から操作可能な手動スイッチを用いることが望ましい。フィルタＦ１のスルー機能が有効である場合は、分配器１は、上述した実施形態と同様の動作を行う。
【００３２】
一方、将来的にＢＳ左旋放送及びＣＳ左旋放送の受信を希望する住戸が増加し、共同受信システムの改修が進んで、分配器１の第２端子Ｔ２からＢＳ右旋放送及びＣＳ右旋放送信号ではなくＢＳ右旋放送、ＣＳ右旋放送、ＢＳ左旋放送、及びＣＳ左旋放送の信号が出力される方が都合が良くなった場合には、フィルタＦ１のスルー機能を無効にすればよい。
【００３３】
また、例えばフィルタＦ１にスルー機能を付加する代わりに、図４に示すようにバイパス経路Ｂ１及びスイッチＳＷ１及びＳＷ２を追加するようにしてもよい。バイパス経路Ｂ１は、フィルタＦ１をバイパスする。スイッチＳＷ１及びＳＷ２は、バイパス経路Ｂ１の使用と不使用とを切り替える切替手段である。当該切替手段としては、例えば筐体Ｈ１を空けること無く、筐体Ｈ１の外部から操作可能な手動スイッチを用いることが望ましい。バイパス経路Ｂ１を使用しない場合は、分配器１は、上述した実施形態と同様の動作を行う。
【００３４】
一方、将来的にＢＳ左旋放送及びＣＳ左旋放送の受信を希望する住戸が増加し、共同受信システムの改修が進んで、分配器１の第２端子Ｔ２からＢＳ右旋放送及びＣＳ右旋放送信号ではなくＢＳ右旋放送、ＣＳ右旋放送、ＢＳ左旋放送、及びＣＳ左旋放送の信号が出力される方が都合が良くなった場合には、バイパス経路Ｂ１を使用すればよい。
【００３５】
また、例えば上述した実施形態では、第１〜第３の端子Ｔ１〜Ｔ３それぞれの一部が筐体Ｈ１から露出しているが、第１〜第３の端子Ｔ１〜Ｔ３それぞれの全体が筐体Ｈ１から露出するようにしてもよい。
【００３６】
また、例えば上述した実施形態では、分配器は二分配器であったが、三分配器や四分配器のように三分配以上であっても構わない。例えば四分配器の場合、分配回路を四分配の回路構成とし、下記の第１〜第３の変形のいずれかを採用すればよい。
【００３７】
第１の変形は、上述した実施形態と比較してフィルタを２個増やして第２の端子Ｔ２と同様の信号を出力する端子を２個増やす変形パターンである。
【００３８】
第２の変形は、上述した実施形態と比較してフィルタを１個増やして第２の端子Ｔ２と同様の信号を出力する端子を１個増やし第３の端子Ｔ３と同様の信号を出力する端子を１個増やす変形パターンである。
【００３９】
第３の変形は、上述した実施形態と比較してフィルタを増やさずに第３の端子Ｔ２と同様の信号を出力する端子を２個増やす変形パターンである。
【符号の説明】
【００４０】
１  分配器
２  追加配線
Ｂ１  バイパス経路
Ｄ１  分配回路
Ｆ１  フィルタ
Ｈ１  筐体
ＳＷ１、ＳＷ２  スイッチ
Ｔ１〜Ｔ３  第１〜第３の端子
【図１】
2019134283.tif 000003
【図２】
2019134283.tif 000004
【図３】
2019134283.tif 000005
【図４】
2019134283.tif 000006
【図５】
2019134283.tif 000007